【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
データ出力装置と通信回線を介して接続される情報処理装置であって、
前記データ出力装置において出力対象となる出力データとユーザが前記データ出力装置で前記出力データを出力させる上での制限情報とを取得する取得手段と、
前記取得手段により取得される前記出力データ及び前記制限情報の形式を、前記データ出力装置の処理能力に係る情報に応じて変換する変換手段と、
前記変換手段により変換された前記出力データ及び前記制限情報を前記データ出力装置に送信する送信手段とを有することを特徴とする情報処理装置。
【請求項２】
データ出力装置及び情報処理装置が通信回線を介して接続されたデータ出力管理システムであって、
前記情報処理装置は、
前記データ出力装置において出力対象となる出力データとユーザが前記データ出力装置で前記出力データを出力させる上での制限情報とを取得する取得手段と、
前記取得手段により取得される前記出力データ及び前記制限情報の形式を、前記データ出力装置の処理能力に係る情報に応じて変換する変換手段と、
前記変換手段により変換された前記出力データ及び前記制限情報を前記データ出力装置に送信する送信手段とを有することを特徴とするデータ出力管理システム。
【請求項３】
前記処理能力に係る情報は、前記データ出力装置の前記制限情報の改ざんを検知する処理能力に係る情報であり、前記変換手段は、前記データ出力装置の前記制限情報の改ざん検知処理能力に応じて、前記出力データ及び前記制限情報を情報改ざん検知可能な形式に変換することを特徴とする請求項２に記載のデータ出力管理システム。
【請求項４】
当該データ出力管理システムは、
前記データ出力装置及び前記情報処理装置と互いに通信回線を介して接続される管理装置を更に有し、
前記管理装置は、
前記処理能力に係る情報を前記データ出力装置から取得する第１の取得手段と、
前記処理能力に係る情報を保持する保持手段とを有し、
前記情報処理装置は、
前記処理能力に係る情報を前記管理装置から取得する第２の取得手段を更に有することを特徴とする請求項２又は３に記載のデータ出力管理システム。
【請求項５】
データ出力装置と通信回線を介して接続される情報処理装置による情報処理方法であって、
前記データ出力装置において出力対象となる出力データとユーザが前記データ出力装置で前記出力データを出力させる上での制限情報とを取得する取得ステップと、
前記取得ステップにより取得される前記出力データ及び前記制限情報の形式を、前記データ出力装置の処理能力に係る情報に応じて変換する変換ステップと、
前記変換ステップにより変換された前記出力データ及び前記制限情報を前記データ出力装置に送信する送信ステップとを含むことを特徴とする情報処理方法。
【請求項６】
データ出力装置と通信回線を介して接続される情報処理装置による情報処理方法をコンピュータに実行させるためのプログラムであって、
前記データ出力装置において出力対象となる出力データとユーザが前記データ出力装置で前記出力データを出力させる上での制限情報とを取得する取得ステップと、
前記取得ステップにより取得される前記出力データ及び前記制限情報の形式を、前記データ出力装置の処理能力に係る情報に応じて変換する変換ステップと、
前記変換ステップにより変換された前記出力データ及び前記制限情報を前記データ出力装置に送信する送信ステップとをコンピュータに実行させるためのプログラム。
【請求項７】
データ出力装置と通信回線を介して接続される情報処理装置による情報処理方法をコンピュータに実行させるためのプログラムを記録したコンピュータ読み取り可能な記録媒体であって、
前記データ出力装置において出力対象となる出力データとユーザが前記データ出力装置で前記出力データを出力させる上での制限情報とを取得する取得ステップと、
前記取得ステップにより取得される前記出力データ及び前記制限情報の形式を、前記データ出力装置の処理能力に係る情報に応じて変換する変換ステップと、
前記変換ステップにより変換された前記出力データ及び前記制限情報を前記データ出力装置に送信する送信ステップとをコンピュータに実行させるためのプログラムを記録したコンピュータ読み取り可能な記録媒体。
【手続補正２】
【補正対象書類名】明細書
【補正対象項目名】００１１
【補正方法】変更
【補正の内容】
【００１１】
本発明の情報処理装置は、データ出力装置と通信回線を介して接続される情報処理装置であって、前記データ出力装置において出力対象となる出力データとユーザが前記データ出力装置で前記出力データを出力させる上での制限情報とを取得する取得手段と、前記取得手段により取得される前記出力データ及び前記制限情報の形式を、前記データ出力装置の処理能力に係る情報に応じて変換する変換手段と、前記変換手段により変換された前記出力データ及び前記制限情報を前記データ出力装置に送信する送信手段とを有することを特徴とする。
本発明のデータ出力管理システムは、データ出力装置及び情報処理装置が通信回線を介して接続されたデータ出力管理システムであって、前記情報処理装置は、前記データ出力装置において出力対象となる出力データとユーザが前記データ出力装置で前記出力データを出力させる上での制限情報とを取得する取得手段と、前記取得手段により取得される前記出力データ及び前記制限情報の形式を、前記データ出力装置の処理能力に係る情報に応じて変換する変換手段と、前記変換手段により変換された前記出力データ及び前記制限情報を前記データ出力装置に送信する送信手段とを有することを特徴とする。
本発明の情報処理方法は、データ出力装置と通信回線を介して接続される情報処理装置による情報処理方法であって、前記データ出力装置において出力対象となる出力データとユーザが前記データ出力装置で前記出力データを出力させる上での制限情報とを取得する取得ステップと、前記取得ステップにより取得される前記出力データ及び前記制限情報の形式を、前記データ出力装置の処理能力に係る情報に応じて変換する変換ステップと、前記変換ステップにより変換された前記出力データ及び前記制限情報を前記データ出力装置に送信する送信ステップとを含むことを特徴とする。
本発明のプログラムは、データ出力装置と通信回線を介して接続される情報処理装置による情報処理方法をコンピュータに実行させるためのプログラムであって、前記データ出力装置において出力対象となる出力データとユーザが前記データ出力装置で前記出力データを出力させる上での制限情報とを取得する取得ステップと、前記取得ステップにより取得される前記出力データ及び前記制限情報の形式を、前記データ出力装置の処理能力に係る情報に応じて変換する変換ステップと、前記変換ステップにより変換された前記出力データ及び前記制限情報を前記データ出力装置に送信する送信ステップとをコンピュータに実行させることを特徴とする。
本発明のコンピュータ読み取り可能な記録媒体は、データ出力装置と通信回線を介して接続される情報処理装置による情報処理方法をコンピュータに実行させるためのプログラムを記録したコンピュータ読み取り可能な記録媒体であって、前記データ出力装置において出力対象となる出力データとユーザが前記データ出力装置で前記出力データを出力させる上での制限情報とを取得する取得ステップと、前記取得ステップにより取得される前記出力データ及び前記制限情報の形式を、前記データ出力装置の処理能力に係る情報に応じて変換する変換ステップと、前記変換ステップにより変換された前記出力データ及び前記制限情報を前記データ出力装置に送信する送信ステップとをコンピュータに実行させるためのプログラムを記録したことを特徴とする。